(57)【要約】【課題】衣服を傷めることなく、衣服の吊下げ保持力が高く、しかも衣服の厚さが変っても保持力を高く維持することができる衣服搬送ハンガーを提供する。【解決手段】ハンガー体２に形成されたキャッチ４，５は、互いに向き合って設けられた固定キャッチ１０と可動キャッチ２０とからなる。固定キャッチ１０には、可動キャッチ２０に向き合う面に押圧面１１が形成されており、可動キャッチ２０は、支軸３１を中心とし揺動可能であり、かつ固定キャッチ１０に向き合う面に複数段の爪２１が形成されており、複数段の爪２１は、下段の爪２４が支軸までの距離が短く、上段側の爪２２ほど支軸３１までの距離が長くなっており、可動キャッチ２０の爪２２〜２４を固定キャッチ１０の押圧面１１に近づける閉止バネ３５が設けられている。固定キャッチ１０の押圧面１１は、湾曲面１３が垂直面１２の上端から可動キャッチ２０に近寄りつつ上方に延びる。【選択図】図１
2010201079.tif 000002
【特許請求の範囲】
【請求項１】
フックと、該フックで吊下げられたハンガー体と、
該ハンガー体に設けられたズボンの端縁を挟止するキャッチとからなり、
該キャッチは、互いに向き合って設けられた固定キャッチと可動キャッチとからなり、
前記固定キャッチには、前記可動キャッチに向き合う面に押圧面が形成されており、
前記可動キャッチは、支軸を中心とし揺動可能であり、かつ前記固定キャッチに向き合う面に複数段の爪が形成されており、
該複数段の爪は、下段の爪は前記支軸までの距離が短く、上段側の爪ほど前記支軸までの距離が長くなっており、
前記可動キャッチの各爪を前記固定キャッチの前記押圧面に近づける方向に揺動付勢する閉止バネが設けられている
ことを特徴とする衣服搬送ハンガー。
【請求項２】
前記固定キャッチの前記押圧面は、垂直面と湾曲面とからなり、
該湾曲面は前記垂直面の上端から前記可動キャッチに近寄りつつ上方に延びるよう形成されている
ことを特徴とする請求項１記載の衣服搬送ハンガー。
【請求項３】
前記可動キャッチの複数段の爪は、略垂直な先端面に対し上面が略直角に交差し、下面が鈍角に交差している
ことを特徴とする請求項２記載の衣服搬送ハンガー。
【発明の詳細な説明】
【技術分野】
【０００１】
本発明は、衣服搬送ハンガーに関する。さらに詳しくは、大量の衣服、たとえばユニフォーム、病院着、寝巻き等の洗濯、乾燥仕上げ、折畳み作業を自動化工程で行うに際し、個々の衣服をライン上で搬送する衣服搬送ハンガーに関する。
本発明の衣服搬送ハンガーは、ズボンの裾、あるいは胴部上端縁を挟んで吊下げるキャッチを備えるものであるが、これに加えて上衣の肩を掛けて吊下げる肩掛け部を備えるものも含まれる。
【背景技術】
【０００２】
従来の衣服搬送ハンガーとして、特許文献１の従来例がある。
この従来例は、衣類を掛ける一対の掛け杆を本体の左右に開閉可能に軸支し、両掛け杆の間にて上下動可能に縦杆を本体に取り付け、両掛け杆と縦杆とを機械的に連動可能にした開閉ハンガー装置である。
ところが、この従来例では、掛け杆が棒状部材あるいはパイプを折り曲げてフレーム状に成形したものであるから、肩で引っ掛けられる上衣の搬送はできるが、ズボンを保持して搬送することはできない。
【０００３】
そこで、ズボンの裾あるいは胴部上端縁を挟むキャッチを掛け杆に設けた従来技術１が提案されている。この従来技術１を図５に基づき説明する。
101はフック、102はハンガー体で左右一対の肩掛けフレーム103,103からなる。前記フック１と左右の肩掛けフレーム103,103の基部は支軸104で結合されている。
左右のフレーム103,103は図示のように水平に張った状態であると、上衣の肩部を掛けることができ、フック101を搬送ラインに引っ掛けると衣服を場内搬送することができる。なお、フレーム103,103を下向きに折り畳むと上衣を下方に落下させることができる。
【０００４】
上記ハンガーの各フレーム103,103の下縁には、ズボンを吊下げるキャッチ104が設けられている。キャッチ104は各フレーム103に２個づつ、計４個設けられている。
内側の２個のキャッチ104はズボンＺの裾を挟むものであり（Ａ図参照）、外側の２個のキャッチ104はズボンＺの胴部上端縁を挟むものである（Ｂ図参照）。
【０００５】
上記従来技術１のキャッチ104を図６に基づき詳述する。
このキャッチ104は、固定キャッチ110と可動キャッチ120を対向させて設け、固定キャッチ110にも係止爪111を形成し、可動キャッチ120にも係止爪111を形成して、一対の係止爪111,121で布地を挟んで、ズボンの裾を保持するようにしたものである。
両方の係止爪111,121は共に、複数枚の爪（図示の例では４〜５枚）を用いており、一つ一つの爪の形状は、山も谷も三角形となる鋭いものである。
【０００６】
上記従来技術１の衣服搬送ハンガーにおいて、キャッチ104でズボンの布地を挟むと、係止爪111,121の山と谷の間に布地が挟まれることになり、強い締め付け跡が付いてしまい、布地を傷めることが多いという問題がある。
そして、更に問題となるのは、ズボンの布地が薄いと挟持力が弱くなって、搬送途中でズボンが落下するし、逆にズボンの布地が厚いと、係止爪111,121の間に挿入できなかったり、挿入できたとしても爪と爪の噛み合せが弱くなって、やはりズボンが搬送中に落下するという問題がある。
【０００７】
上記のような鋭い爪による締め付け跡を解消しようとした従来例として、特許文献２の従来技術２がある。
この従来技術２は、図７に示すように、一対の外枠214,215を有する本体216と、中枠211の左右に軸支され、外方の端部にて外枠214,215に当接し隙間を閉じるように設けられた一対のクランプ爪217,218と、クランプ爪217,218を内部上方から外部下方へ回転する方向へ付勢する弾性部材219,220と、クランプ爪をワンタッチで開く作用部材222を具備し、ズボン類の左右の裾を重ね合わせて左右のクランプ爪217,218と外枠214,215との間の隙間に挟み込み、裾を保持してズボン類を保持するようにしたものである。
【０００８】
しかるに上記従来技術２では、クランプ爪217,218の先端形状は丸く仕上げられており、これに対向する外枠214,215は垂直な壁面となっているため、ズボンの裾を挟んでもクランプ爪217,218に対する引っ掛かり力は弱い。このため、重いズボンだとずり落ちやすい。また、クランプ爪217,218は、その先端のみが外枠214,215の垂直な壁面に向き合っているので、ズボンの裾を挟む場合の挟持面積が狭い。この点は、クランプ爪217,218が水平になって外側に向いているときも、多少外側上向きに傾斜しているときも変わらず、挟持面積は狭いままである。よって、やはり、ズボンをしっかり保持できず、落下しやすい、という欠点がある。
【先行技術文献】
【特許文献】
【０００９】
【特許文献１】特許第３７７９８９７号公報
【特許文献２】特開２００８−１９４１１５号公報
【発明の概要】
【発明が解決しようとする課題】
【００１０】
本発明は上記事情に鑑み、衣服を傷めることなく、衣服の吊下げ保持力が高く、しかも衣服の厚さが変っても保持力を高く維持することができる衣服搬送ハンガーを提供することを目的とする。
【課題を解決するための手段】
【００１１】
第１発明の衣服搬送ハンガーは、フックと、該フックで吊下げられたハンガー体と、該ハンガー体に設けられたズボンの端縁を挟止するキャッチとからなり、該キャッチは、互いに向き合って設けられた固定キャッチと可動キャッチとからなり、前記固定キャッチには、前記可動キャッチに向き合う面に押圧面が形成されており、前記可動キャッチは、支軸を中心とし揺動可能であり、かつ前記固定キャッチに向き合う面に複数段の爪が形成されており、該複数段の爪は、下段の爪は前記支軸までの距離が短く、上段側の爪ほど前記支軸までの距離が長くなっており、前記可動キャッチの各爪を前記固定キャッチの前記押圧面に近づける方向に揺動付勢する閉止バネが設けられていることを特徴とする。
第２発明の衣服搬送ハンガーは、第１発明において、前記固定キャッチの前記押圧面は、垂直面と湾曲面とからなり、該湾曲面は前記垂直面の上端から前記可動キャッチに近寄りつつ上方に延びるよう形成されていることを特徴とする。
第３発明の衣服搬送ハンガーは、第２発明において、前記可動キャッチの複数段の爪は、略垂直な先端面に対し上面が略直角に交差し、下面が鈍角に交差していることを特徴とする。
【発明の効果】
【００１２】
第１発明によれば、可動キャッチの複数段の爪は固定キャッチの押圧面までの距離が異なっており、上段の爪ほど遠くなっているので、可動キャッチの揺動角を変えると前記押圧面までの隙間を連続的に変えることができる。よって、衣服の厚さが変動しても、可動キャッチと固定キャッチとの間に衣服の端部を差し込むことができ、閉止バネで可動キャッチを固定キャッチ側に付勢することで衣服を確実に挟持できる。また、爪が設けられているのは可動キャッチのみであり、固定キャッチの押圧面には設けられていないので、衣服を爪同士の間に挟み込むことがなく布地を傷めることがない。
第２発明によれば、固定キャッチの押圧面のうち湾曲面が可動キャッチの爪に近寄りつつ上方に延びていることから、可動キャッチの複数段の爪と押圧面との間で布地を挟む面積も可動キャッチが揺動しても余り変化せず広い挟持面積を確保できる。よって、衣服の厚さに拘らず強力な保持力を確保できる。
第３発明によれば、ズボンの布地を固定キャッチと可動キャッチの間に挿入するときは、各段の爪の下面が傾斜しているので抵抗にならず、ズボンを容易に挿入できる。これに対し、いったん挿入したズボンの布地は鋭角的な上面に引っ掛かりやすく、しかも固定キャッチ側の湾曲面は爪側に傾いているので、布地の爪への引っ掛かりを助長する。このため、ズボンの自重によって可動キャッチを時計回りに回動させる力を生み、可動キャッチとの間の隙間を狭めるので締め付け力が強くなり、ズボンを落下させることがない。
【図面の簡単な説明】
【００１３】
【図１】本発明の一実施形態に係る衣服搬送ハンガーＡの正面図である。
【図２】図１の衣服搬送ハンガーＡにおけるキャッチまわりの機構図である。
【図３】図２のキャッチの拡大図である。
【図４】キャッチの動作説明図である。
【図５】従来技術の衣服搬送ハンガーの説明図である。
【図６】従来技術１のキャッチ104の拡大図である。
【図７】従来技術２のキャッチの正面図である
【発明を実施するための形態】
【００１４】
つぎに、本発明の実施形態を図面に基づき説明する。
図１は本発明の一実施形態に係る衣服搬送ハンガーＡにおける使用時の状態を示している。同図において、１はフック、２はハンガー体で、左右一対の肩掛けフレーム３，３からなる。各肩掛けフレーム３は正面視円形の基部３Ａと、この基部３Ａに連なり側方に延びるフレーム部３Ｂからなる。いずれの肩掛けフレーム３も、基部３Ａは片面のみからなる部材であり、裏表両面から合わされ、支軸６で互いに結合されている。なお、フック１も支軸６に結合されている。
【００１５】
前記各肩掛けフレーム３のフレーム部３Ｂは同形状の表部材と裏部材からなり、上縁部で一体に結合されている。下縁部は開口しており、フレーム部３Ｂの内部は空洞となって、後述する各部材を内蔵できるようになっている。
そして、各肩掛けフレーム３，３は図示のように左右に張った状態で衣服の上衣を掛けるように使用されるが、肩掛けフレーム３，３を下向きに折畳み、掛けていた上衣を抜き取ることもできるようになっている。
【００１６】
前記各肩掛けフレーム３，３の下縁には、ズボンを挟持するためのキャッチ４，５が設けられている。各キャッチ４，５は独立した部材をフレーム部３Ｂの裏部材と表部材の間に挿入し、ピン等で取付けられている。
なお、キャッチ４，５のうち動かない部材はフレーム部３Ｂに一体的に形成してもよい。
図１において、内側の２個のキャッチ４，４はズボンの裾を挟んで、ズボンを吊下げるために、互いの間隔が狭くなるように配置されている。外側のキャッチ５，５は、ズボンの胴部上端縁を挟んでズボンを吊下げるために、互いの間隔が広くなるように配置されている。
【００１７】
図２は片側の肩掛けフレーム３の内部構造を示している。両側の肩掛けフレーム３とも内部は同一構造であるので、以下、区別せずに説明する。
各キャッチ４，５は共に固定キャッチ１０と可動キャッチ２０とから構成されている。
固定キャッチ１０は肩掛けフレーム３に嵌合あるいは一体成形等で取付けられており、可動キャッチ２０は肩掛けフレーム３に支軸３１をフレーム部３Ｂの表部材と裏部材に嵌め合わせて揺動自在に取付けられている。
【００１８】
前記キャッチ４，５の可動キャッチ２０には、共通のリンク３３が揺動ピン３４で結合されており、このリンク３３には閉止バネ３５が結合されており、この閉止バネ３５の付勢力によってリンク３３が図中右側へ押され、可動キャッチ２０を固定キャッチ１０に対し接近する方向（時計廻り方向）に揺動付勢するようになっている。
【００１９】
なお、フック１の根元は、スプリング付勢された昇降自在な押しボタン３６が設けられており、この押しボタン３６を押すと、押しボタン３６のカム部36aが前記リンク３３を図中左方へ押して、可動キャッチ２０を固定キャッチ１０から離れる方向（反時計廻り方向）に揺動させることもできる。ただし、この押しボタン３６による解除操作は、キャッチ４，５の開放には必須でなく、それをしなくてもズボンの布地をキャッチ１０，２０の間の隙間に押し込むと、可動キャッチ２０は反時計廻りに回動して、隙間を広げることができる。閉止バネ３５の付勢力は、キャッチ１０，２０間に差し込んだズボンを落下しないように、しっかり保持する力を付与することに技術的意義がある。
【００２０】
つぎに、図３に基づき、キャッチ４，５の構造を詳述する。
前記固定キャッチ１０には押圧面１１が形成され、前記可動キャッチ２０には爪２１が形成されており、押圧面１１と爪２１が互いに対向するように配置されている。
固定キャッチ１０の押圧面１１は、爪の無い平坦な面である。そして、押圧面１１は、垂直面１２と湾曲面１３から構成されている。垂直面１２は押圧面１１の下方部分を占めており、肩掛けフレーム３の使用姿勢（略水平状態）で、ほぼ垂直な壁面となる。
湾曲面１３は、垂直面１２の上端から可動キャッチ２０側に近寄りつつ、上方に延びるように連続的に湾曲している。
【００２１】
一方、可動キャッチ２０の固定キャッチ１０に向き合う面に形成された爪２１は、複数段が形成されている。図示の実施形態では、３段の爪が設けられ、上段爪２２、中段爪２３、下段爪２４からなる。なお、爪の段数は３段に限らず、４段以上であってもよい。
各段の爪と支軸３１との間の距離は、それぞれ異なっており、下段の爪は支軸３１までの距離が短く、上段側の爪ほど支軸３１までの距離が長くなっている。
すなわち、
Ｌ２：上段爪２２と支軸３１間の距離
Ｌ３：中段爪２３と支軸３１間の距離
Ｌ４：下段爪２４と支軸３１間の距離
とすると、Ｌ２＞Ｌ３＞Ｌ４となっている。
【００２２】
前記各段の爪２２〜２４は、いずれも爪の上面２５が略水平であり、略垂直な先端面２６に対し略直角に交差している。これに対し、爪の下面２７は先端面２６に対し鈍角に交差している。つまり、下面は傾斜している。本明細書でいう略水平、略垂直とは、衣服搬送ハンガーＡの通常の使用状態（つまり図示の状態）を基準としている。また、「略」の意味は本発明の爪２２〜２４の下記機能を発揮できる範囲で多少の角度が違うものも含む意味である。
【００２３】
上記のように爪２２〜２４の下面は傾斜しているので、ズボンの布地を固定キャッチ１０と可動キャッチ２０の間に挿入するときに、抵抗にならず、可動キャッチ２０を反時計廻りに回動させるだけなので、ズボンの下から上への挿入を容易に行える。これに対し、いったん挿入したズボンの布地は鋭角的な上面２５に引っ掛かりやすく、しかも、固定キャッチ２０の湾曲面１３は爪２２側に傾いているので、布地を爪２２の先端に引っ掛けやすくなっている。
【００２４】
このような構造上、ズボンの自重は、可動キャッチ２０を時計廻りに回動したときも、揺動キャッチと固定キャッチ間の対向面積を広く維持できる。また、可動キャッチ２０と固定キャッチ１０との間の隙は自然と狭くなり、ますますズボンを締め付けることになる。このため、手動で可動キャッチ２０を反時計廻りに回動させない限り、ズボンが抜け落ちることはない。
【００２５】
図４は固定キャッチ１０と可動キャッチ２０の間の間隔の変化を示している。Ｉ図が最も間隔が狭く、Ｖ図に至るにつれて間隔が広くなっている状態を示している。そして、図中のアラビア数字は間隔を示し、単位はｍｍである。２点鎖線は挟まれた布地を示している。
【００２６】
Ｉ図に示すように、間隔が狭いとき（たとえば、１ｍｍのとき）、可動キャッチの爪２２〜２４は全て固定キャッチ１０の垂直面１２に対面している。
II図およびIII図に示すように、間隔が２ｍｍ、３ｍｍと増えるにしたがって、上段爪２２が湾曲面１３に対面するようになり、IV図に示すように、間隔が４ｍｍで中段爪２３も湾曲面１３に対面しはじめ、Ｖ図に示すように、間隔が５ｍｍで上段爪２２と中段爪２３が完全に湾曲面１３に対面している。
【００２７】
このように可動キャッチ２０が反時計廻りに動くと、間隔が広がり布地の厚いズボンを挿入することも、挟持して保持することも可能となる。
そして、いったんキャッチ１０，２０間の隙間にズボンの布地を挿入した状態で、既述のごとくズボンの裾などの布地は湾曲面１３に接した部分で可動キャッチ２０側に傾いている。したがって、上段爪２２に係止しやすく、ズボン自体の重量で下向きの力が加わると可動キャッチ２０は時計廻り方向に回動しようとするので、ますます爪２２と押圧面１１との間で布地は締め付けられる。このため、ズボンが搬送中に落下することはない。
【００２８】
上記に説明したように、可動キャッチ２０の複数段の爪２２〜２４は固定キャッチ１０の押圧面１１までの距離Ｌ２〜Ｌ４が異なっており、上段爪２２ほど遠くなっているので、可動キャッチ２０の揺動角を変えると押圧面１１までの隙間を連続的に変えることができる。よって、衣服の厚さが変動しても、可動キャッチ２０と固定キャッチ１０との間で衣服を確実に挟持することができる。
【００２９】
また、固定キャッチ１０の押圧面１１のうち湾曲面１３が可動キャッチ２０の爪に近寄りつつ上方に延びていることから、可動キャッチ２０が揺動したとき、爪との間隔が徐々に変化していく。このため可動キャッチ２０の複数段の爪２２〜２４と押圧面１１との間で布地を挟む面積も可動キャッチ２０が揺動しても余り変化せず広い保持面積を確保できる。よって、衣服の厚さに拘らず強力な保持力を確保できる。
【００３０】
さらに、爪２２〜２４が設けられているのは可動キャッチ２０のみであり、固定キャッチ１０の押圧面１１には設けられていないので、衣服を爪同士の間に挟み込むことがなく布地を傷めることがない。
【００３１】
本発明における上記実施形態では、キャッチ４，５にズボンを吊持させたが、ズボン以外の衣服を保持させることも可能である。
【符号の説明】
【００３２】
１        フック
２        ハンガー体
４        キャッチ
５        キャッチ
１０        固定キャッチ
１１        押圧面
１２        垂直面
１３        湾曲面
２０        可動キャッチ
２２〜２４  爪
３５        閉止バネ
【図１】
2010201079.tif 000003
【図２】
2010201079.tif 000004
【図３】
2010201079.tif 000005
【図４】
2010201079.tif 000006
【図５】
2010201079.tif 000007
【図６】
2010201079.tif 000008
【図７】
2010201079.tif 000009